(57)【要約】【課題】複数の感光体ドラムに対して共通のポリゴンミラーを設けた画像形成装置において、静電潜像のずれが微小であっても色ずれ補正が可能な画像形成装置を提供する。【解決手段】画像形成装置１では、隣り合う感光体ドラム４において、一方の感光体ドラム４の周面に形成された静電潜像が、他方の感光体ドラム４の周面に形成された静電潜像に対して主走査方向と直交する副走査方向においてずれている場合において、押圧部材２３が、隣り合う感光体ドラム４，４間で転写ベルト８を押圧して、一方の感光体ドラム４に対応する転写ベルト８上の転写位置Ｔと、他方の感光体ドラム４に対応する転写ベルト８上の転写位置Ｔとの間の距離を変更することにより、一方の感光体ドラム４に対応する転写ベルト８上の転写位置Ｔを、静電潜像のずれ分Δだけ転写ベルト８の回転方向Ｂにずらすことが可能とされている。【選択図】図２
2010085831.tif 000002
【特許請求の範囲】
【請求項１】
各々が周面を有する複数の感光体ドラムと、
前記複数の感光体ドラムの各周面にレーザ光を主走査方向に走査して、各周面に静電潜像を形成するポリゴンミラーを有する露光器と、
前記静電潜像にトナーを供給して前記複数の感光体ドラムの各周面にトナー像を形成する現像機と、
前記複数の感光体ドラムと接触した状態で駆動源により所定の方向に回転されつつ、各感光体ドラムとの間に設定された転写位置において各感光体ドラムの前記周面上の前記トナー像が転写される転写ベルトと、
隣り合う前記感光体ドラムの間に配置されて、前記転写ベルトを該転写ベルトの厚み方向に押圧することが可能に構成された押圧部材と、
を備え、
隣り合う感光体ドラムにおいて、一方の感光体ドラムの周面に形成された静電潜像が、他方の感光体ドラムの周面に形成された静電潜像に対して前記主走査方向と直交する副走査方向においてずれている場合において、前記押圧部材は、前記隣り合う感光体ドラム間で前記転写ベルトを押圧して、前記一方の感光体ドラムに対応する前記転写ベルト上の転写位置と、前記他方の感光体ドラムに対応する前記転写ベルト上の転写位置との間の距離を変更することにより、前記一方の感光体ドラムに対応する前記転写ベルト上の転写位置を、前記静電潜像のずれ分だけ前記転写ベルトの前記回転方向にずらすことが可能とされている画像形成装置。
【請求項２】
請求項１に記載の画像形成装置において、前記押圧部材は、前記転写ベルトを該転写ベルトの内表面側から支持するローラ部材である画像形成装置。
【請求項３】
請求項２に記載の画像形成装置において、さらに、前記ローラ部材を前記転写ベルトに向けて所定の範囲内で移動させることが可能な駆動部を備えた画像形成装置。
【請求項４】
請求項１に記載の画像形成装置において、前記露光器は、前記主走査方向に走査される前記レーザ光を１本としたシングルレーザビーム光学系である画像形成装置。
【請求項５】
請求項１に記載の画像形成装置において、前記露光器は、前記主走査方向に走査される前記レーザ光をＮ（Ｎ≧２）本としたマルチレーザビーム光学系である画像形成装置。
【発明の詳細な説明】
【技術分野】
【０００１】
本発明は、画像形成装置に関するものであり、特に、ポリゴンミラーを用いて感光体ドラムに静電潜像を形成する画像形成装置に関する。
【背景技術】
【０００２】
従来から、ポリゴンミラーによってレーザ光を複数の感光体ドラムの各周面上を主走査方向に走査させることにより、各周面上に静電潜像を形成するタンデム式のカラー画像形成装置が知られており（例えば、特許文献１）、各感光体ドラムに対して専用のポリゴンミラーを設けたものと、複数の感光体ドラムに対して共通のポリゴンミラーを設けたものとがある。
【０００３】
このような画像形成装置では、隣り合う感光体ドラムにおいて、一方の感光体ドラムの周面に形成された静電潜像が、他方の感光体ドラムの周面に形成された静電潜像に対して主走査方向に直交する副走査方向においてずれる場合がある。静電潜像が副走査方向においてずれると、その静電潜像に基づいて感光体ドラムの周面に形成されるトナー像もずれてしまい、その結果、転写ベルトに転写されるカラートナー像に色ずれが生じる。
【０００４】
各感光体ドラムに対して専用のポリゴンミラーを設けた画像形成装置では、各ポリゴンミラーを駆動するポリゴンモータの回転位相が互いに一致するように各ポリゴンミラーを制御することで、上述の色ずれを補正する。
【０００５】
一方、複数の感光体ドラムに対して共通のポリゴンミラーを設けた画像形成装置では、ポリゴンミラーのミラー面ごとの走査間隔により決定される基本単位で色ずれ補正が行われる。具体的には、各感光体ドラムに導かれるレーザ光が１本のシングルレーザビーム光学系では、ポリゴンミラーのミラー面ごとの走査間隔は１ｄｏｔであるため、副走査方向における静電潜像のずれ補正は、１ｄｏｔの基本単位で行われる。また、各感光体ドラムに導かれるレーザ光がＮ（Ｎ≧２）本のマルチレーザビーム光学系では、ポリゴンミラーのミラー面ごとの走査間隔はＮｄｏｔであるため、副走査方向における静電潜像のずれ補正は、Ｎｄｏｔの基本単位で行われる。
【特許文献１】特開２００７−２９２９２９号公報
【発明の開示】
【発明が解決しようとする課題】
【０００６】
しかしながら、複数の感光体ドラムに対して共通のポリゴンミラーを設けた画像形成装置では、色ずれ補正は基本単位でしか行われないため、静電潜像のずれが基本単位よりも小さい微小なずれの場合、色ずれ補正を行うことは困難である。
【０００７】
そこで、本発明は、上記課題に鑑み、複数の感光体ドラムに対して共通のポリゴンミラーを設けた画像形成装置において、静電潜像のずれが微小であっても色ずれ補正が可能な画像形成装置を提供することを目的とする。
【課題を解決するための手段】
【０００８】
上記目的を達成するために、本発明に係る画像形成装置は、各々が周面を有する複数の感光体ドラムと、前記複数の感光体ドラムの各周面にレーザ光を主走査方向に走査して、各周面に静電潜像を形成するポリゴンミラーを有する露光器と、前記静電潜像にトナーを供給して前記複数の感光体ドラムの各周面にトナー像を形成する現像機と、前記複数の感光体ドラムと接触した状態で駆動源により所定の方向に回転されつつ、各感光体ドラムとの間に設定された転写位置において各感光体ドラムの前記周面上の前記トナー像が転写される転写ベルトと、隣り合う前記感光体ドラムの間に配置されて、前記転写ベルトを該転写ベルトの厚み方向に押圧することが可能に構成された押圧部材とを含む。隣り合う感光体ドラムにおいて、一方の感光体ドラムの周面に形成された静電潜像が、他方の感光体ドラムの周面に形成された静電潜像に対して前記主走査方向と直交する副走査方向においてずれている場合において、前記押圧部材は、前記隣り合う感光体ドラム間で前記転写ベルトを押圧して、前記一方の感光体ドラムに対応する前記転写ベルト上の転写位置と、前記他方の感光体ドラムに対応する前記転写ベルト上の転写位置との間の距離を変更することにより、前記一方の感光体ドラムに対応する前記転写ベルト上の転写位置を、前記静電潜像のずれ分だけ前記転写ベルトの前記回転方向にずらすことが可能とされている。
【０００９】
本発明に係る画像形成装置によれば、隣り合う感光体ドラムにおいて、一方の感光体ドラムの周面に形成された静電潜像が、他方の感光体ドラムの周面に形成された静電潜像に対して副走査方向においてずれていても、押圧部材により、一方の感光体ドラムに対応する転写ベルト上の転写位置が、静電潜像のずれ分だけ転写ベルトの回転方向にずらされるので、一方の感光体ドラムの周面に形成されたトナー像と、他方の感光体ドラムの周面に形成されたトナー像とを、転写ベルトに転写されるカラートナー像において色ずれが生じないように重ね合わせることができる。
【００１０】
本発明の好ましい実施形態では、前記押圧部材は、前記転写ベルトを該転写ベルトの内表面側から支持するローラ部材である。
【００１１】
この構成によれば、転写ベルトの内表面側は、空間的に比較的余裕があり、押圧部材を、転写ベルトを内表面側から支持するローラ部材で構成することにより、押圧部材の配置が容易となる。
【００１２】
本発明の他の好ましい実施形態では、画像形成装置は、さらに、前記ローラ部材を前記転写ベルトに向けて所定の範囲内で移動させることが可能な駆動部を備えた。
【００１３】
この構成によれば、駆動部により押圧部材を所定の範囲内で移動させることにより、一方の感光体ドラムに対応する転写ベルト上の転写位置と、他方の感光体ドラムに対応する転写ベルト上の転写位置との間の距離を変更することができる。したがって、その距離を適宜変更することで、静電潜像のずれ、特に微小なずれに対しても補正を行うことができる。
【００１４】
本発明のさらに他の好ましい実施形態では、前記露光器は、前記主走査方向に走査される前記レーザ光を１本としたシングルレーザビーム光学系である。
【００１５】
レーザ光が１本のシングルレーザビーム光学系では、ポリゴンミラーのミラー面ごとの走査間隔が１ｄｏｔであるため、副走査方向における静電潜像のずれ補正は、１ｄｏｔの基本単位で行われる。そのため、静電潜像のずれが基本単位よりも小さい場合、ずれ補正を行うことができない。しかしながら、本発明に係る画像形成装置では、押圧部材によって転写ベルトを押圧することにより、一方の感光体ドラムに対応する転写位置と、他方の感光体ドラムに対応する転写位置との間の距離を静電潜像のずれ分だけ変更することができるので、静電潜像のずれ分が１ｄｏｔの基本単位よりも小さい場合であっても、色ずれ補正を行うことが可能である。
【００１６】
本発明のさらに他の好ましい実施形態では、前記露光器は、前記主走査方向に走査される前記レーザ光をＮ（Ｎ≧２）本としたマルチレーザビーム光学系である。
【００１７】
レーザ光がＮ本のマルチレーザビーム光学系では、ポリゴンミラーのミラー面ごとの走査間隔はＮｄｏｔであるため、副走査方向における静電潜像のずれ補正は、Ｎｄｏｔの基本単位で行われる。そのため、静電潜像のずれが基本単位よりも小さい場合、ずれ補正を行うことができない。しかしながら、本発明に係る画像形成装置では、押圧部材によって転写ベルトを押圧することにより、一方の感光体ドラムに対応する転写位置と、他方の感光体ドラムに対応する転写位置との間の距離を静電潜像のずれ分だけ変更することができるので、静電潜像のずれ分がＮｄｏｔの基本単位よりも小さい場合であっても、色ずれ補正を行うことが可能である。
【発明の効果】
【００１８】
本発明に係る画像形成装置によれば、複数の感光体ドラムに対して共通のポリゴンミラーを設けた画像形成装置において、静電潜像のずれが微小であっても色ずれ補正が可能である。
【発明を実施するための最良の形態】
【００１９】
以下、本発明を実施するための最良の形態について、図面を参照しながら詳細に説明する。
【００２０】
図１は、本発明の実施形態に係る画像形成装置の一例であるプリンタの内部構成を概略的に示す図である。図１に示すように、プリンタ１は、マゼンタ（Ｍ），シアン（Ｃ），イエロー（Ｙ），ブラック（Ｂｋ）の各色別の画像形成部２（２Ｍ，２Ｃ，２Ｙ，２Ｂｋ）を含むタンデム式のカラープリンタである。各画像形成部２Ｍ，２Ｃ，２Ｙ，２Ｂｋは、現像機３、帯電器５、露光器（ＬＥＤプリントヘッドユニット等）６、トナー供給部７、クリーナー２１および１次転写ローラ９を含む。
【００２１】
トナー供給部７は、マゼンタ，シアン，イエロー，ブラックの各色のトナーを貯蔵する。現像機３は、トナー供給部７から供給されるトナーを感光体ドラム４に供給するための現像ローラ３１を含む。
【００２２】
現像ローラ３１は、例えば、その表面がアルミ等の非磁性材料から構成される円筒状の現像スリーブである。この現像スリーブの内部には、磁石材料等が配設されている。現像機３内のトナーとキャリア（磁性体）とからなる現像剤（２成分現像剤の場合）は、磁石材料の磁力で現像ローラ３１の表面に吸着され、現像ローラ３１が所定の方向に回転することで、現像剤のトナーのみが感光体ドラム４の表面に移動する。
【００２３】
感光体ドラム４は、後述する転写ベルト８の下方に位置し、転写ベルト８の外表面に接触した状態で配設されている。感光体ドラム４は、転写ベルト８の回転方向Ｂの上流側からマゼンタ、シアン、イエロー、及びブラックの順番で並設されている。また、感光体ドラム４は、ａ−Ｓｉ（アモルファスシリコン）等から構成され、図１における時計回りの方向（図示のＡ方向）に回転する。
【００２４】
感光体ドラム４の対向する位置には、１次転写ローラ９が転写ベルト８の内表面に接触した状態で転写ベルト８を介して配置されている。１次転写ローラ９は、転写ベルト８の回転により従動回転するローラであり、感光体ドラム４とで転写ベルト８をニップして、感光体ドラム４に形成された各色のトナー像を転写ベルト８に１次転写させる１次転写部Ｔを構成する。ここで、転写ベルト８は、各色のトナー像が多重転写されるように１次転写される。これにより、転写ベルト８にはカラーのトナー像が形成される。
【００２５】
帯電器５は、感光体ドラム４の周面を一様に帯電する。露光器６は、外部ＰＣ（パーソナルコンピュータ）等から入力された原稿画像データに基づくレーザ光を感光体ドラム４の周面に導くポリゴンミラー６ａを有している。ポリゴンミラー６ａは、図略の駆動源によって回転しつつ、各感光体ドラム４の周面上にレーザ光を主走査方向に走査して、各周面に静電潜像を形成する。主走査方向とは、レーザ光が感光体ドラム４の長手方向に走査される方向である。本実施形態では、ポリゴンミラー６ａは、複数の感光体ドラム４間で共用されている。
【００２６】
現像機３は、感光体ドラム４にトナーを供給する。これにより、静電潜像にトナーが付着され、感光体ドラム４にトナー像が形成される。
【００２７】
クリーナー２１は、各感光体ドラム４の周面上に配置され、該周面上の残留トナー等を除去する。
【００２８】
転写ベルト８は、例えばＣＲ（クロロプレン）ゴムからなる弾性層を含むベルトであり、感光体ドラム４の列の上方に配置されると共に、外表面が感光体ドラム４の周面に接触した状態となるように、従動ローラ１０と駆動ローラ１１との間に張設されている。また、転写ベルト８は、アイドルローラ１９によって上方に付勢されている。駆動ローラ１１は、図略の駆動源による駆動力を受けて回転して、転写ベルト８を回転駆動させる。従動ローラ１０は、転写ベルト８の回転によって従動回転する。これにより、転写ベルト８はＢ方向（反時計回りの方向）に回転する。
【００２９】
また、転写ベルト８は、駆動ローラ１１に巻回されている部位が屈曲した状態となっており、この屈曲部位は、転写ベルト８に１次転写されたトナー像が用紙Ｐに２次転写される２次転写位置Ｐ１として設定されている。この２次転写位置Ｐ１には、転写ベルト８を介して駆動ローラ１１に対向する２次転写ローラ１８が設けられている。２次転写ローラ１８は、駆動ローラ１１との間でニップを形成して、該ニップを通過する用紙Ｐに、転写ベルト８の外表面上のトナー像を２次転写する。
【００３０】
２次転写位置Ｐ１の下方には、一対のローラから構成されるレジストローラ１７が配設されている。このレジストローラ１７は、用紙Ｐを２次転写位置Ｐ１に向けて搬送すると共に、用紙Ｐの斜め送りを修正する。
【００３１】
２次転写位置Ｐ１の上方には、２次転写位置Ｐ１でトナー像の２次転写が施された用紙Ｐに対して定着処理を施す定着装置１４が設けられている。定着装置１４は、一対の定着ローラ１４１を含み、用紙Ｐを加熱しつつ、定着ローラ１４１間でニップすることで、２次転写されたトナー像を用紙Ｐ上に定着させる。
【００３２】
プリンタ１の下部における、露光器６の下方位置には、用紙束を収納する給紙カセット１２が配置されている。そして、給紙カセット１２と２次転写位置Ｐ１との間には、用紙Ｐを給紙カセット１２から２次転写位置Ｐ１まで用紙Ｐを案内する用紙搬送路１３が設けられている。用紙搬送路１３には、上述のレジストローラ１７が配設されている。また、用紙搬送路１３には、レジストローラ１７の他に、用紙Ｐを案内するための複数のローラ対が適所に配設されている。
【００３３】
プリンタ１の上面には、定着装置１４によって定着処理が施された用紙Ｐが排出される排出部１６が形成されており、この排出部１６と定着装置１４との間には、用紙Ｐを案内するための用紙排出路１５が設けられている。この用紙排出路１５にも、用紙Ｐを搬送するためのローラ対が適所に配設されている。
【００３４】
ところで、上述のように構成されたプリンタ１では、隣り合う感光体ドラム４において、一方の感光体ドラム４の周面に形成された静電潜像が、他方の感光多ドラム４の周面に形成された静電潜像に対してレーザ光の主走査方向に直交する副走査方向においてずれる場合がある。静電潜像が副走査方向においてずれると、その静電潜像に基づいて感光体ドラム４の周面に形成されるトナー像もずれてしまい、その結果、転写ベルト８に転写されるカラートナー像に色ずれが生じる。
【００３５】
そこで、本実施形態では、カラートナー像の色ずれを補正するために、押圧部材２３を採用している。押圧部材２３は、隣り合う感光体ドラム４間に配置されて、転写ベルト８を該転写ベルト８の厚み方向に押圧することが可能に構成された部材である。以下、この押圧部材２３による色ずれ補正について説明する。なお、この説明は、例えば、シアン用の感光体ドラム４Ｃの周面に形成された静電潜像が、シアン用感光体ドラム４Ｃの上流側に位置するマゼンタ用の感光体ドラム４Ｍの周面に形成された静電潜像に対して副走査方向においてずれている場合について行っている。
【００３６】
この場合、押圧部材２３は、図２に示すように、マゼンタ用感光体ドラム４Ｍとシアン用感光体ドラム４Ｃとの間で、転写ベルト８をその内表面側から転写ベルト８の厚み方向に押圧する。この押圧により、転写ベルト８は弾性的に若干延伸されるので、シアン用感光体ドラム４Ｃに対応する転写ベルト８上の転写位置ＴＣと、マゼンタ用感光体ドラム４Ｍに対応する転写ベルト８上の転写位置ＴＭとの間の距離が変わる。つまり、転写ベルト８の周回経路が転写位置ＴＣと転写位置ＴＭとの間で長くなる。転写位置ＴＣと転写位置ＴＭとの間の距離の変更により、転写位置ＴＣを、静電潜像の副走査方向におけるずれ分だけ転写ベルト８の回転方向Ｂにずらすことができる。これについて、図３を用いて具体的に説明する。
【００３７】
図３に示すように、ポリゴンミラー６ａによってシアン用感光体ドラム４Ｃの周面およびマゼンタ用感光体ドラム４Ｍの周面にレーザ光Ｌが走査されることにより、シアン用感光体ドラム４Ｃの周面には、×で示す静電潜像２７が形成されると共に、マゼンタ用感光体ドラム４Ｍの周面には、○で示す静電潜像２５が形成される。静電潜像２７は、静電潜像２５に対して副走査方向、つまり感光体ドラム４の回転方向ＡにおいてΔ分ずれている。
【００３８】
静電潜像２５は、現像機３からトナーの供給を受けた後、転写位置ＴＭにおいて転写ベルト８上に転写され、マゼンタのトナー像２５が形成される。鎖線Ｘは、平面視の転写ベルト８における転写位置ＴＭを示す。一方、静電潜像２７は、現像機３からトナーの供給を受けた後、鎖線Ｙで示す転写位置ＴＣからずれΔ分だけずれた位置において転写ベルト８上に転写され、シアンのトナー像２７が形成される。したがって、マゼンタトナー像２５は、鎖線Ｙで示す転写位置ＴＣにおいてシアントナー像２７とは重なり合わず、その結果、色ずれが生じる。
【００３９】
押圧部材２３は、転写ベルト８を押圧して、転写位置ＴＣと転写位置ＴＭとの間の距離ｄ１を距離ｄ２に変更することにより、ずれΔに起因する色ずれを補正する。具体的には、押圧部材２３は、転写位置ＴＣと転写位置ＴＭとの間の距離ｄ１を、ずれΔ分だけ大きくしたｄ２＝ｄ１＋Δとなるように転写ベルト８を押圧して延伸させる。これにより、延伸した状態の転写ベルト８′における転写位置ＴＣは、回転方向Ｂにおける鎖線Ｚで示す転写位置にΔ分だけ移動するため、マゼンタトナー像２５は、鎖線Ｚで示す転写位置においてシアントナー像２７と重なり合う。その結果、色ずれが生じない。なお、ずれΔは、実際には、数十μｍ程度であり、図３では、説明の容易化のために誇張して図示している。
【００４０】
押圧部材２３は、図１および図２に示すように、空間的に比較的余裕のある転写ベルト８の内表面側に配置することが好ましい。これにより、押圧部材２３の配置が容易となる。そして、押圧部材２３を、例えばローラ部材で構成することで、押圧部材２３により、色ずれ補正を行うことができると共に、転写ベルト８をその内表面側から支持することができる。
【００４１】
上述した色ずれ補正は、例えばプリンタ１の出荷前に行われる。その場合、押圧部材２３で転写ベルト８を押圧して色ずれ補正を行った後、押圧部材２３は、転写位置ＴＣと転写位置ＴＭとの間の距離をｄ２に維持した状態で転写ベルト８に対して固定される。
【００４２】
また、色ずれ補正は、例えば、プリンタ１の出荷後にユーザによって行われるようにしてもよい。その場合、図２に示すように、押圧部材２３に、該押圧部材２３を所定範囲、例えば数十μｍの微小範囲で上下動させることが可能な２点鎖線で示す駆動部２９を取り付け、プリンタ１の図略の制御部によって駆動部２９を制御させて押圧部材２３を適宜上下動させることにより、色ずれ補正を行う構成としてもよい。
【００４３】
上述の押圧部材２３による色ずれ補正は、露光器６が、各感光体ドラム４の周面上を主走査方向に走査されるレーザ光を１本としたシングルレーザビーム光学系であっても、また、各感光体ドラム４の周面上を主走査方向に走査されるレーザ光をＮ（Ｎ≧２）本としたマルチレーザビーム光学系であっても行うことができる。
【００４４】
シングルレーザビーム光学系では、ポリゴンミラーのミラー面ごとの走査間隔が１ｄｏｔであるため、副走査方向における静電潜像のずれ補正は、１ｄｏｔの基本単位で行われる。そのため、静電潜像のずれが基本単位よりも小さい場合、ずれ補正を行うことができない。しかしながら、本実施形態では、押圧部材２３によって転写ベルト８を押圧、延伸させることにより、例えば転写位置ＴＣと転写位置ＴＭとの間の距離ｄ１を静電潜像のずれ分Δだけ変更することができるので、静電潜像のずれ分Δが１ｄｏｔの基本単位よりも小さい場合であっても、色ずれ補正を行うことが可能である。
【００４５】
また、Ｎ本のマルチレーザビーム光学系では、ポリゴンミラーのミラー面ごとの走査間隔はＮｄｏｔであるため、副走査方向における静電潜像のずれ補正は、Ｎｄｏｔの基本単位で行われる。そのため、静電潜像のずれが基本単位よりも小さい場合、ずれ補正を行うことができない。しかしながら、本実施形態では、押圧部材２３によって転写ベルト８を押圧、延伸させることにより、例えば転写位置ＴＣと転写位置ＴＭとの間の距離ｄ１を静電潜像のずれ分Δだけ変更することができるので、静電潜像のずれ分ΔがＮｄｏｔの基本単位よりも小さい場合であっても、色ずれ補正を行うことが可能である。
【図面の簡単な説明】
【００４６】
【図１】本発明の実施形態に係る画像形成装置の一例であるプリンタの内部構成を概略的に示す図である。
【図２】押圧部材が隣り合う感光体ドラム間で転写ベルトを押圧している状態を示す説明図である。
【図３】押圧部材による色ずれ補正を説明する説明図である。
【符号の説明】
【００４７】
１  プリンタ
２  画像形成部
４  感光体ドラム
４Ｃ  シアン用感光体ドラム
４Ｍ  マゼンタ用感光体ドラム
６  露光器
６ａ  ポリゴンミラー
８  転写ベルト
２３  押圧部材
２５  マゼンタの静電潜像（トナー像）
２７  シアンの静電潜像（トナー像）
２９  駆動部
Ｂ  転写ベルトの回転方向
Ｌ  レーザ光
Ｔ  転写位置
ＴＣ  シアン用転写位置
ＴＭ  マゼンタ用転写位置
Δ  ずれ分
【図１】
2010085831.tif 000003
【図２】
2010085831.tif 000004
【図３】
2010085831.tif 000005